(57)【要約】【課題】モータがラッチ解除作動途中で停止する事態が発生しても、ドアを閉じることができるようにする。【解決手段】ドア１に設けられるとともに、ドア１の全閉時に車体側と係合することにより、ドア１を全閉状態に拘束可能なドアラッチ４と、ドア１に設けられるとともに、電気的操作手段の操作に応じて駆動可能なモータ１２、及びドアラッチ４に連結されるとともに、モータ１２の駆動をもって、ドアラッチ４をラッチ解除させる方向へ移動可能な伝達レバー１７を有するラッチ解除駆動手段と、伝達レバー１７がドアラッチ４をラッチ解除させる作動位置に移動したとき、ドア１に設けられる機械的操作手段７の操作に応じて、ラッチ解除駆動手段のモータ１２と伝達レバー１７とを接続する操作力伝達経路を切断可能なキャンセル手段１８、１９とを備える。【選択図】  図１
2005256314.tif 000002
【特許請求の範囲】
【請求項１】
ドアに設けられるとともに、前記ドアの全閉時に車体側と係合することにより、前記ドアを全閉状態に拘束可能なドアラッチと、
前記ドアに設けられるとともに、電気的操作手段の操作に応じて駆動可能なモータ、及び前記ドアラッチに連結されるとともに、前記モータの駆動をもって、前記ドアラッチをラッチ解除させる方向へ移動可能な伝達レバーを有するラッチ解除駆動手段と、
該伝達レバーが前記ドアラッチをラッチ解除させる作動位置に移動したとき、前記ドアに設けられる機械的操作手段の操作に応じて、前記ラッチ解除駆動手段の前記モータと前記伝達レバーとを接続する操作力伝達経路を切断可能なキャンセル手段とを備えたことを特徴とする車両用ドア開扉装置。
【請求項２】
ラッチ解除駆動手段は、さらにモータにより所定の方向へ移動させられる移動体と、該移動体に連結されるとともに、伝達レバーに対して係脱可能な連結リンクとを有し、キャンセル手段は、前記連結リンクを、前記伝達レバーから離脱させることにより、前記モータと前記伝達レバーとを接続する操作力伝達経路を切断することを特徴とする請求項１記載の車両用ドア開扉装置。
【請求項３】
機械的操作手段、ドアラッチ、及びキャンセル手段並びにラッチ解除駆動手段の伝達レバーのそれぞれを相互に中継手段を介して連結し、該中継手段は、前記機械的操作手段の操作力を入力し、その入力した操作力を前記ドアラッチ及び前記キャンセル手段へ出力可能で、かつ、前記伝達レバーの前記ドアラッチをラッチ解除させる駆動力を入力し、その入力した駆動力を、前記ドアラッチへ出力可能で、かつ前記機械的操作手段へ出力不能としたことを特徴とする請求項１または２記載の車両用ドア開扉装置。
【発明の詳細な説明】
【技術分野】
【０００１】
本発明は、モータにより、ドアラッチをラッチ解除させるようにした車両用ドア開扉装置に関する。
【背景技術】
【０００２】
従来、上述のような車両用ドア開扉装置において、ドアに設けられた電気的操作スイッチの操作に応じて、ラッチ解除用モータを駆動させ、この駆動力をもって、車体側に設けられたストライカと係合することによりドアを全閉状態に拘束可能なドアラッチをラッチ解除させることにより、ドアラッチとストライカとの係合を離脱させて、ドアの開扉を可能にしたものがある（例えば、特許文献１参照）。
【特許文献１】特公平７−１１６８７８号公報
【発明の開示】
【発明が解決しようとする課題】
【０００３】
上述のような従来の車両用ドア開扉装置においては、ラッチ解除用モータにより、ドアラッチをラッチ解除させている最中に、例えば電気的故障等によりラッチ解除用モータが停止してしまうと、ドアラッチがラッチ解除状態に拘束されてしまい、それ以後、ドアラッチは、ストライカと係合することができず、ドアを閉じることができなくなる問題点を有する。
【０００４】
本発明は、従来の技術が有する上記のような問題点に鑑み、モータがラッチ解除作動途中で停止する事態が発生しても、ドアを閉じることができるようにした車両用ドア開扉装置を提供することを目的としている。
【課題を解決するための手段】
【０００５】
本発明によると、上記課題は、次のようにして解決される。
（１）ドアに設けられるとともに、前記ドアの全閉時に車体側と係合することにより、前記ドアを全閉状態に拘束可能なドアラッチと、前記ドアに設けられるとともに、電気的操作手段の操作に応じて駆動可能なモータ、及び前記ドアラッチに連結されるとともに、前記モータの駆動をもって、前記ドアラッチをラッチ解除させる方向へ移動可能な伝達レバーを有するラッチ解除駆動手段と、該伝達レバーが前記ドアラッチをラッチ解除させる作動位置に移動したとき、前記ドアに設けられる機械的操作手段の操作に応じて、前記ラッチ解除駆動手段の前記モータと前記伝達レバーとを接続する操作力伝達経路を切断可能なキャンセル手段とを備える。
【０００６】
（２）上記(１)項において、ラッチ解除駆動手段は、さらにモータにより所定の方向へ移動させられる移動体と、該移動体に連結されるとともに、伝達レバーに対して係脱可能な連結リンクとを有し、キャンセル手段は、前記連結リンクを、前記伝達レバーから離脱させることにより、前記モータと前記伝達レバーとを接続する操作力伝達経路を切断する。
【０００７】
（３）上記(１)または(２)項において、機械的操作手段、ドアラッチ、及びキャンセル手段並びにラッチ解除駆動手段の伝達レバーのそれぞれを相互に中継手段を介して連結し、該中継手段は、前記機械的操作手段の操作力を入力し、その入力した操作力を前記ドアラッチ及び前記キャンセル手段へ出力可能で、かつ、前記伝達レバーの前記ドアラッチをラッチ解除させる駆動力を入力し、その入力した駆動力を、前記ドアラッチへ出力可能で、かつ前記機械的操作手段へ出力不能とする。
【発明の効果】
【０００８】
本発明によれば、次のような効果が奏せられる。
（ａ）請求項１記載の発明によると、伝達レバーがドアラッチをラッチ解除させる作動位置に移動したとき、ドアに設けられる機械的操作手段の操作に応じて、ラッチ解除駆動手段のモータと伝達レバーとを接続する操作力伝達経路を切断可能としたことにより、モータがラッチ解除作動途中で停止しても、機械的操作手段の操作をもって、ドアラッチをラッチ待機状態に復帰させることができ、ドアを閉じることができる
【０００９】
（ｂ）請求項２記載の発明によると、ラッチ解除駆動手段に設けた連結リンクにより、ラッチ解除駆動手段のモータと伝達レバーとを接続する操作力伝達経路を切断可能としたことにより、伝達レバーの復帰回動を自由にして、ドアラッチを確実にラッチ待機状態に復帰させることができる。
【００１０】
（ｃ）請求項３記載の発明によると、機械的操作手段の操作により、ドアラッチのラッチ解除とキャンセル手段のキャンセル作動とを行なうことができる。また、ラッチ解除駆動手段による伝達レバーの移動による駆動力により、ドアラッチをラッチ解除させたとき、インサイドハンドルに対して、伝達レバーの駆動力が伝達されないので、ドアラッチを円滑にラッチ解除させることができる。
【発明を実施するための最良の形態】
【００１１】
以下、本発明の一実施形態を、図に基づいて説明する。図１は、本発明が適用される車両用のドアの概略側面図、図２は、図１におけるII−II線に沿う横断面図、図３は、駆動装置(６)の分解斜視図、図４は、ドア(１)が全閉状態にあるときの駆動装置(６)の側面図、図５は、ドアラッチ(４)をラッチ解除させたときの駆動装置(６)の側面図、図６は、ドア(１)を開き方向へ移動させたときの駆動装置(６)の要部の側面図、図７は、キャンセル操作したときの駆動装置(６)の要部の側面図、図８は、キャンセル操作完了後の駆動装置(６)の要部の側面図、図９は、ドア開扉操作中の駆動装置(６)の要部の側面図、図１０〜図１３は、中継手段(９)の各状態を示す側面図である。なお、図１及び図２における左方を車両の「後方」とし、右方を車両の「前方」とする。
【００１２】
車両用のドア(１)は、前端部が上下のドアヒンジ(２)により、車体(３)に開閉可能に枢支されるとともに、内部の後端部には、ドアラッチ(４)が設けられ、また、前端部には、ドア半開保持手段をなすチェックリンク(５)、及び駆動装置(６)が設けられている。さらには、ドア(１)の車内側を形成するインナーパネル(1a)には、車内側から操作可能な機械的操作手段をなすインサイドハンドル(７)、また車外側を形成するアウターパネル(1b)には、電気的操作手段をなすラッチ解除操作スイッチ(1c)がそれぞれ設けられている。
【００１３】
なお、電気的操作手段は、ドア(１)に設けられるラッチ解除操作スイッチ(1c)のみに特定されるものでなく、運転席近傍に設けられる操作スイッチ、運転者により所持され、所定の操作により赤外線、電波等を発信可能な遠隔操作スイッチ等も含む。また、電気的操作手段をドア(１)に設ける場合には、ドア(１)のアウターパネル(1b)に設けられるハンドル内に内蔵するのが好ましい。
【００１４】
ドアラッチ(４)は、内部に収容されたラッチ機構(4a)が、ドア(１)の全閉時に車体(３)に固着されたストライカ(８)と係合することにより、ドア(１)を閉止状態に拘束するとともに、インサイドハンドル(７)または駆動装置(６)により、ラッチ解除されてラッチ機構(4a)がストライカ(８)から離脱し、ドア(１)の開き方向への移動を可能にする。このドアラッチ(４)は、周知の構造のものであるので詳細な説明は省略するが、一般的に、その構造は、ラッチ解除状態でドア(１)を閉じても、ラッチ機構(4a)がストライカ(８)に対して係合不能で、ドア(１)を全閉状態に拘束することができないものとなっている。したがって、ドア(１)を閉じる場合には、ラッチ解除の操作力を除去して、ラッチ機構(4a)をストライカ(８)に対して係合可能な待機状態にする必要がある。
【００１５】
チェックリンク(５)は、前端部がドアヒンジ(２)の枢軸(2a)より若干側方に外れた車体(３)側に枢着されるとともに、後部がドア(１)内に進入したアーム(52)と、ドア(１)内に固定されるとともに、ドア(１)の開閉に伴ってアーム(52)の上下面に対して摺動可能な摺動体(51)とを有し、ドア(１)が半開位置（図２に想像線で示す位置）にあるとき、アーム(52)に設けられた凹部(52a)に摺動体(51)が所要の押圧力で係合することにより、ドア(１)を所要の保持力をもって半開位置に保持可能な構成を有している。
【００１６】
インサイドハンドル(７)は、その後方に設けられた中継手段(９)を介して、ドアラッチ(４)及び駆動装置(６)に連結され、車内から図２に実線で示す非操作位置から想像線で示す操作位置に操作されることにより、中継手段(９)を介してドアラッチ(４)をラッチ解除させるとともに、駆動装置(６)に設けられた後述のキャンセル手段(18)(19)を作動させる。
【００１７】
中継手段(９)は、主に図１０に示すように、ドア(１)のインナーパネル(1a)に固定されるベースプレート(94)に、第１、２及び第３中継レバー(91)(92)(93)が枢軸(95)により枢支されることにより形成されている。
【００１８】
第１中継レバー(91)は、主に図１０に示すように、上部に設けられた連結部(91a)が連結部材(27)を介して、インサイドハンドル(７)に連結されることにより、インサイドハンドル(７)の開扉操作に応じて、図１０に示すニュートラル位置から図１１及び図１３に示す作動位置へ移動可能であるとともに、下部に設けられた連結部(91c)が連結部材(29)を介して、駆動装置(６)のキャンセル手段(18)(19)のうちの第２キャンセルレバー(19)に連結される。
【００１９】
第２中継レバー(92)は、連結部(92a)が連結部材(28)を介してドアラッチ(４)のラッチ解除レバー(図示略)に連結されるとともに、第１中継レバー(91)によるニュートラル位置から作動位置への回動に伴って、第１中継レバー(91)の被当接部(91b)が当接部(92b)に当接することにより、図１０に示すニュートラル位置から図１１及び図１３に示す作動位置へ移動させられる。
【００２０】
第３中継レバー(93)は、連結部(93a)が連結部材(30)を介して、駆動装置(６)の後述の伝達レバー(17)に連結され、伝達レバー(17)の後述のニュートラル位置から作動位置への移動に伴って、図１０に示すニュートラル位置から図１２及び図１３に示す作動位置へ移動させられ、この移動により、被当接部(93b)が第２中継レバー(92)に対して当接することにより、第２中継レバー(92)をニュートラル位置から作動位置へ移動させる。
【００２１】
上述により、中継手段(９)は、インサイドハンドル(７)、ドアラッチ(４)、及びキャンセル手段(18)(19)並びに伝達レバー(17)のそれぞれを相互に連結し、インサイドハンドル(7)の操作力を第１中継レバー(91)で入力し、その入力した操作力を、第１中継レバー(91)及び第２中継レバー(92)からドアラッチ(４)及びキャンセル手段(18)(19)へ出力し、また、伝達レバー(17)のニュートラル位置から作動位置への移動、すなわちドアラッチ(４)をラッチ解除させる駆動力を、第３中継レバー(93)で入力し、その入力した駆動力を、第２中継レバー(92)からドアラッチ(４)へ出力可能とし、かつインサイドハンドル(７)へは出力不能な構成となっている。
【００２２】
駆動装置(６)は、主に図４に示すように、インナーパネル(1a)に複数のボルト(10)により固定されるベースプレート(11)を有し、このベースプレート(11)に、正逆回転可能なモータ(12)と、モータ(12)により所定の方向へ回動させられる移動体をなすセクターギヤ(13)と、セクターギヤ(13)の回動に伴って、ドア(１)を開き方向へ移動させる開放力を蓄積可能なコイルスプリング(15)と、コイルスプリング(15)に蓄積された開放力をチェックリンク(５)のアーム(52)に伝達可能なプッシュレバー(14)と、後端部がプッシュレバー(14)に連結された連結リンク(16)と、モータ(12)の駆動力を前述のようにドアラッチ(４)に伝達可能な伝達レバー(17)と、モータ(12)とドアラッチ(４)との間の操作力伝達経路、より具体的には、モータ(12)と伝達レバー(17)とを接続する操作力伝達経路を切断可能なキャンセル手段をなす第１、２キャンセルレバー(18)(19)とが設けられることにより形成される。
【００２３】
なお、本実施形態においては、モータ(12)と、セクターギヤ(13)と、連結リンク(16)と、伝達レバー(17)とにより、本発明に係わるラッチ解除駆動手段が形成され、モータ(12)と、セクターギヤ(13)と、コイルスプリング(15)と、プッシュレバー(14)とにより、本発明に係わるドア開扉駆動手段が形成される。すなわち、モータ(12)及びセクターギヤ(13)は、ドア解除駆動手段とドア開扉駆動手段とに兼用される構成を有している。
【００２４】
モータ(12)は、ラッチ解除操作スイッチ(1c)の操作に応じて正転制御されることにより、減速ギヤ(図示略)を介して、ピニオン(25)を作動方向（図４〜図９において反時計方向）へ回転駆動させる。
【００２５】
セクターギヤ(13)は、枢軸(20)によりベースプレート(11)に枢支されるとともに、歯部(13a)がピニオン(25)に噛合することにより、モータ(12)の正転によるピニオン(25)の回転に伴って、図４、９に示すニュートラル位置と図５、６、７及び図８に示す作動位置へ回動し、またモータ(12)の逆転により作動位置からニュートラル位置に復帰して停止する。
【００２６】
連結リンク(16)は、枢軸(24)によりセクターギヤ(13)の遊端部に枢着されるとともに、前端部がガイドピン(26)を介して、第１キャンセルレバー(18)に設けられた前後方向の長孔(18a)に摺動可能に連結され、かつ第１、２キャンセルレバー(18)(19)が後述のニュートラル位置にある場合には、セクターギヤ(13)のニュートラル位置から作動位置への回動に伴って、図４に示すニュートラル位置から図５、６に示す作動位置へ移動することができる。また第１キャンセルレバー(18)が後述のキャンセル位置に移動した場合には、連結リンク(16)は、ニュートラル位置から図７、９に示すキャンセル位置に移動する。
【００２７】
連結リンク(16)の前端部には、ニュートラル位置から作動位置へ移動する方向に対して、伝達レバー(17)の上部に設けられた係合部(17a)に対して係合可能なフック部(16a)が設けられている。
【００２８】
伝達レバー(17)は、枢軸(22)によりベースプレート(11)に枢着されるとともに、下端部に設けられた連結部(17b)が連結部材(30)を介して、中継手段(９)の第３中継レバー(93)に連結され、連結リンク(16)がニュートラル位置から作動位置へ移動することにより、連結リンク(16)のフック部(16a)が係合部(17a)に係合して、図４に示すニュートラル位置から図５及び図６に示す作動位置へ移動させられ、この移動をもって、連結部材(30)を介して、第３中継レバー(93)を作動位置へ移動させる。
【００２９】
スプリング(31)は、伝達レバー(17)の枢軸(22)に巻装されて、伝達レバー(17)を図４〜図９において時計方向へ付勢する。
【００３０】
第１、２キャンセルレバー(18)(19)は、枢軸(23)によりベースプレート(11)により枢着される。第２キャンセルレバー(19)は、連結部材(29)を介して、中継手段(９)の第１中継レバー(91)に連結され、インサイドハンドル(７)の開扉操作に伴って、図４、５、６及び図８に示すニュートラル位置から図７、９に示すキャンセル位置へ移動する。枢軸(23)に巻装されたスプリング(32)は、第１キャンセルレバー(18)をニュートラル位置へ向けて付勢する。
【００３１】
第２キャンセルレバー(19)がニュートラル位置からキャンセル位置へ移動すると、第２キャンセルレバー(19)の被当接部(19a)が第１キャンセルレバー(18)に対して当接することにより、第１キャンセルレバー(18)は、図４、５及び図６に示すニュートラル位置から図７、９に示すキャンセル位置に移動するとともに、連結リンク(16)をニュートラル位置からキャンセル位置へ移動させる。
【００３２】
第１キャンセルレバー(18)がニュートラル位置にある場合には、連結リンク(16)がニュートラル位置から作動位置への移動に伴って、そのフック部(16a)が伝達レバー(17)の係合部(17a)に対して係合して、伝達レバー(17)をニュートラル位置から作動位置へ移動させることができ、また、第１キャンセルレバー(18)がキャンセル位置にある場合には、連結リンク(16)のフック部(16a)が伝達レバー(17)の係合部(17a)から離脱して、伝達レバー(17)が作動位置に移動させられた状態であっても、モータ(12)と伝達レバー(17)とを接続する操作力伝達経路を切断することにより、スプリング(31)の付勢力をもって、伝達レバー(17)は、ニュートラル位置へ復帰可能となる。
【００３３】
プッシュレバー(14)は、枢軸(21)によりベースプレート(11)に枢着されるとともに、下端部に設けられた折曲片(14a)には、チェックリンク(５)のアーム(52)の後端部に設けられた鍔部(52b)が当接可能に係合されている。
【００３４】
ドアラッチ(４)がラッチ解除された場合には、後述のようにスプリング(15)に蓄積された開放力をもって、プッシュレバー(14)は、図４、５及び図９に示すニュートラル位置から図６、７及び図８に示す作動位置へ移動させられて、折曲片(14a)がアーム(52)の鍔部(52b)に当接してアーム(52)を押し出し、この押し出し力をもって、ドア(１)を全閉状態から開き方向へ移動させる。
【００３５】
スプリング(15)は、プッシュレバー(14)の枢軸(21)にコイル部が巻装されるとともに、一端部(15a)がセクターギヤ(13)に設けられた突部(13b)と枢軸(24)との間に係止され、また他端部(15b)がプッシュレバー(14)の折曲片(14a)に係止される。
【００３６】
モータ(12)の正転により、セクターギヤ(13)がニュートラル位置から作動位置へ向けて移動する場合には、前述のように、連結リンク(16)、伝達レバー(17)等を介して、ドアラッチ(４)をラッチ解除させるとともに、ドアラッチ(４)をラッチ解除させる迄の期間中に、スプリング(15)の一端部(15a)を反時計方向へ捩る。このとき、ドアラッチ(４)のラッチ解除が完了するまでは、ドア(１)は全閉状態に拘束されているため、プッシュレバー(14)はニュートラル位置またアーム(52)は全閉位置（主に図４、５に示す位置）に拘束されて、スプリング(15)の他端部は移動することができない。したがって、スプリング(15)の一端部(15a)が反時計方向へ捩れることにより、スプリング(15)は、ドア(１)を開き方向へ移動させる開放力の蓄積することができる。
【００３７】
ドアラッチ(４)のラッチ解除が完了して、ドア(１)の開き方向への移動が可能になった時点で、スプリング(15)に蓄積された開放力は放出されることとなる。これにより、スプリング(15)に蓄積された開放力をもって、プッシュレバー(14)を介して、アーム(52)に伝達することにより、ドア(１)を全閉状態から開き方向へ移動させることができる。
【００３８】
次に、本発明に係わる動作について説明する。
ドア(１)の全閉状態においては、ドアラッチ(４)のラッチ機構(4a)はストライカ(８)に係合し、また駆動装置(６)におけるセクターギア(13)、プッシュレバー(14)、スプリング(15)、連結リンク(16)、伝達レバー(17)、第１、２キャンセルレバー(18)(19)の全ては、図４に示すようにニュートラル位置にある。この状態においては、セクターギヤ(13)がニュートラル位置にあるため、スプリング(15)には開放力が蓄積されていない。
【００３９】
ドア(１)の全閉状態において、ラッチ解除操作スイッチ(1c)が操作された場合には、モータ(12)が正転制御されることにより、セクターギヤ(13)は、ピニオン(25)を介して、ニュートラル位置から作動位置へ向けて回動させられる。
【００４０】
セクターギヤ(13)の回動に伴って、連結リンク(16)は、ニュートラル位置から作動位置へ向けて移動させられる。このとき、第１キャンセルレバー(18)は、ニュートラル位置にあるため、連結リンク(16)のフック部(16a)は、第１キャンセルレバー(18)の長孔(18a)に案内されて伝達レバー(17)の係合部(17a)に対して係合し、伝達レバー(17)をニュートラル位置から作動位置に向けて移動させる。
【００４１】
また、スプリング(15)は、セクターギヤ(13)の回動により、一端部(15a)が反時計方向へ捩れられて開放力を蓄積し、この開放力がプッシュレバー(14)を介して、アーム(52)に対して作用するが、ドアラッチ(４)のラッチ機構(4a)がストライカ(８)に係合した状態では、ドア(１)及びアーム(52)の開き方向への移動が拘束されているため、スプリング(15)の他端部(15b)の位置は変位することがない。したがって、ドアラッチ(４)のラッチ解除が完了するまでの期間中、モータ(12)によるセクターギヤ(13)の回動によって、スプリング(15)は、ドア開放力を蓄積することとなる。
【００４２】
セクターギヤ(13)が作動位置に移動すると、第５図に示すように、連結リンク(16)のフック部(16a)が伝達レバー(17)の係合部(17a)に対して係合し、伝達レバー(17)は、連結リンク(16)を介して作動位置に移動させられる。これにより、連結部材(30)、第３中継レバー(93)、第２中継レバー(92)、連結部材(28)を介して、ドアラッチ(４)は解除作動して、ストライカ(８)から離脱する。このとき、第２中継レバー(92)及び第３中継レバー(93)は、図１２に示すように回動するが、第１中継レバー(91)は停止したままであるため、インサイドハンドル(７)に対して、伝達レバー(17)の移動が伝達されることがない。
【００４３】
ドアラッチ(４)のラッチ解除が完了すると、ドア(１)の開き方向への移動が可能になるため、これまでスプリング(15)に蓄積された開放力をもって、図６に示すように、プッシュレバー(14)を作動位置へ移動させて、アーム(52)を前方へ押し出すことにより、ドア(１)は開き方向へ移動する。そして、ドア(１)が所定の半開位置まで開くと、チェックリンク(５)の摺動体(51)がアーム(52)の凹部(52a)に所定の押圧力をもって係合することにより、ドア(１)はその半開位置位置に停止して保持される。その後、ドア(１)に設けられたハンドル等を握って、チェックリンク(５)の保持力に抗して、ドア(１)を半開位置からさらに開くことができる。
【００４４】
セクターギヤ(13)が作動位置に移動すると、その時点から所定時間経過後に、モータ(12)を逆転制御し、セクターギヤ(16)等をニュートラル位置に復帰させて、駆動装置(６)をニュートラル状態に復帰させる。これにより、ドアラッチ(４)のラッチ機構(4a)は、係合待機状態となり、また、スプリング(15)の開放力は除去される。
【００４５】
図６に示す状態において、何らかの電気的故障等により、モータ(12)の逆転制御が不能になって、セクターギヤ(13)が作動位置からニュートラル位置へ復帰不能になった場合には、伝達レバー(17)が、図６に示す作動位置に拘束されるため、連結部材(30)、第３中継レバー(93)、第２中継レバー(92)、連結部材(28)を介して、ドアラッチ(４)のラッチ機構は、ラッチ解除状態に保持されて、ストライカ(８)と係合することができなくなり、ドア(１)を閉じることができない事態が発生する。
【００４６】
しかし、本実施形態においては、このような事態が発生しても、インサイドハンドル(７)を開扉操作することにより、ドアラッチ(４)のラッチ機構(4a)をラッチ待機状態に復帰させて、ドア(１)を閉じることができる。
【００４７】
すなわち、図６に示す状態において、インサイドハンドル(７)が開扉操作された場合には、インサイドハンドル(７)の開扉操作に応じて、連結部材(27)を介して、第１中継レバー(91)が図13に示すように回動し、この回動をもって、連結部材(29)を介して、第１、２キャンセルレバー(18)(19)をニュートラル位置から作動位置へ移動させる。これにより、第１キャンセルレバー(18)の長孔(18a)に係合しているガイドピン(26)を介して、連結リンク(16)はキャンセル位置へ移動させられる。
【００４８】
連結リンク(16)がキャンセル位置に移動すると、連結リンク(16)のフック部(16a)が伝達レバー(17)の係合部(17a)から離脱するため、伝達レバー(17)の作動位置の拘束が除去されることとなる。これにより、伝達レバー(17)は、ニュートラル位置へ復帰するとともに、ドアラッチ(４)のラッチ機構(4a)は、ラッチ待機状態に復帰する。そして、インサイドハンドル(７)の操作力が除去されると、図８に示すように、連結リンク(16)のフック部(16a)の先端が、伝達レバー(17)の外周縁に乗り上げた状態で停止して、第２キャンセルレバー(19)のみがニュートラル位置に復帰する。そして、モータ(12)の回転が可能になって、プッシュレバー(14)がニュートラル位置に復帰した時点で、第１キャンセルレバー(18)はニュートラル位置に復帰する。
【００４９】
ドアラッチ(４)のラッチ機構(4a)をラッチ待機状態に復帰させた後、ドア(１)を閉じることにより、ドアラッチ(４)のラッチ機構(4a)がストライカ(８)と係合して、ドア(１)は全閉状態に拘束される。
【００５０】
図４に示すドア(１)の全閉状態において、インサイドハンドル(７)が開扉操作された場合には、インサイドハンドル(７)の開扉操作に応じて、連結部材(27)を介して、第１中継レバー(91)及び第２中継レバー(92)が、図１０に示す位置から図11に示す位置に回動することにより、連結部材(28)を介して、ドアラッチ(４)をラッチ解除させる。
【００５１】
以上、本発明の一実施形態について説明したが、本発明の要旨を逸脱しない範囲内で、本実施形態に対して、下記のような種々の変形や変更を施すことが可能である。
【００５２】
（ｉ）前記実施形態において、ドア開扉駆動手段は、モータ(12)、セクターギヤ(13)、スプリング(15)、プッシュレバー(14)によって形成されるものについて説明したが、これに特定されるものでなく、これに代えて、プッシュレバー(14)を省略して、スプリング(15)の他端部(15b)をチェックリンク(５)のアーム(52)に直接係止する。
【００５３】
（ii）前記実施形態において、移動体は、モータ(12)により回動させられるセクターギヤ(13)として説明したが、これに代えて、モータ(12)により直線的に移動可能なラック、リンク等で形成する。
【００５４】
（iii）モータ(12)の駆動により、ドア(１)を開き方向へ移動させる開放力を蓄積可能なスプリング(15)をトーションスプリングとしたが、これに代えて、コイルスプリング、エアシリンダー等の力を蓄積可能な他のものを使用する。
【００５５】
（iv）中継手段(９)を介えさないで、伝達レバー(17)とドアラッチ(４)とを連結する。
【００５６】
（ｖ）スプリング(15)に蓄積される開放力を、チェックリンク(５)のアーム(52)に対して作用させるものに代えて、チェックリンク(５)のアーム(52)とは異なる、前端部がドアヒンジ(２)の枢軸(2a)より若干側方に外れた車体(３)側に枢着される押動杆に作用させる。
【００５７】
（vi）チェックリンク(５)を使用しないで、実施すること。この場合には、ドア(１)を半開位置に保持する機能は有しない。
【００５８】
（vii）機械的操作手段を、インサイドハンドル(７)のみに特定しないで、ドア(１)のアウターパネル(1b)に設けられるアウトサイドハンドル、及びドアラッチ(４)に連結される機械式のキーシリンダとする。
【００５９】
（viii）上記（ｉ）〜（vii）を適宜組み合わせて実施する。
【図面の簡単な説明】
【００６０】
【図１】本発明が適用される車両用のドアの概略側面図である。
【図２】図１におけるII−II線に沿う横断面図である。
【図３】駆動装置の分解斜視図である。
【図４】ドアが全閉状態にあるときの駆動装置の側面図である。
【図５】ドアラッチをラッチ解除させたときの駆動装置の側面図である。
【図６】ドアを開き方向へ移動させたときの駆動装置の要部の側面図である。
【図７】キャンセル操作したときの駆動装置の要部の側面図である。
【図８】キャンセル操作完了後の駆動装置の要部の側面図である。
【図９】ドア開扉操作中の駆動装置の要部の側面図である。
【図１０】ドアが全閉状態にあるときの中継手段の側面図である。
【図１１】ドア開扉操作中の中継手段の概略側面図である。
【図１２】駆動装置が作動しているときの中継手段の概略側面図である。
【図１３】駆動装置の作動中に、キャンセル操作したときの中継手段の概略側面図である。
【符号の説明】
【００６１】
(１)ドア
(1a)インナーパネル
(1b)アウターパネル
(1c)ラッチ解除操作スイッチ（電気的操作操作手段）
(２)ドアヒンジ
(2a)枢軸
(３)車体
(４)ドアラッチ
(4a)ラッチ機構
(５)チェックリンク（ドア半開保持手段）
(51)摺動体
(52)アーム（押動杆）
(52a)凹部
(52b)鍔部
(６)駆動装置
(７)インサイドハンドル（機械的操作手段）
(８)ストライカ
(９)中継手段
(91)第１中継レバー
(91a)連結部
(91b)被当接部
(91c)連結部
(92)第２中継レバー
(92a)連結部
(92b)当接部
(93)第３中継レバー
(93a)連結部
(93b)被当接部
(94)ベースプレート
(95)枢軸
(10)ボルト
(11)ベースプレート
(12)モータ（ラッチ解除駆動手段、ドア開扉駆動手段）
(13)セクターギヤ（移動体、ラッチ解除駆動手段、ドア開扉駆動手段）
(13a)歯部
(13b)突部
(14)プッシュレバー（ドア開扉駆動手段）
(14a)折曲片
(15)スプリング（ドア開扉駆動手段）
(15a)一端部
(15b)他端部
(16)連結リンク（ラッチ解除駆動手段）
(16a)フック部
(17)伝達レバー（ラッチ解除駆動手段）
(17a)係合部
(17b)連結部
(18)第１キャンセルレバー（キャンセル手段）
(18a)長孔
(19)第２キャンセルレバー（キャンセル手段）
(19a)被当接部
(20)(21)(22)(23)(24)枢軸
(25)ピニオン
(26)ガイドピン
(27)(28)(29)(30)連結部材
(31)(32)スプリング
【図１】
2005256314.tif 000003
【図２】
2005256314.tif 000004
【図３】
2005256314.tif 000005
【図４】
2005256314.tif 000006
【図５】
2005256314.tif 000007
【図６】
2005256314.tif 000008
【図７】
2005256314.tif 000009
【図８】
2005256314.tif 000010
【図９】
2005256314.tif 000011
【図１０】
2005256314.tif 000012
【図１１】
2005256314.tif 000013
【図１２】
2005256314.tif 000014
【図１３】
2005256314.tif 000015